(57)【要約】【課題】作業者による使い勝手の向上を容易に図ることのできる濾過装置を提供する。【解決手段】伸縮性糸を編むことにより伸縮自在に形成された袋状フィルタ２と、金網により筒状に形成されたフィルタ収容体３と、流入口１１と、流出口１２とを具備するケース本体４とを設ける。ケース本体４は、透明樹脂によりフィルタ収容体３より大径に形成された筒状の内ケース１３と、内ケース１３を収納するための全体として有底筒状に形成された外ケース１４と、外ケース１４の開口を覆うための外ケース１３の上端に着脱自在に取り付けられる上蓋１５とを主として形成する。流出口１１は外ケース１４の底部に形成し、流入口１２は上蓋１５に形成する。フィルタ収容体３と上蓋１５との間には、袋状フィルタ２を挟持するフィルタ挟持手段４２を設ける。【選択図】      図１
2010184170.tif 000002
【特許請求の範囲】
【請求項１】
濾過対象液に含まれる固体を分離するための袋状フィルタと、前記袋状フィルタを収容するための金網により筒状に形成されたフィルタ収容体と、前記フィルタ収容体を収容するとともに、濾過対象液を前記袋状フィルタの内部に導く流入口と、前記袋状フィルタで濾過した後の濾液を外部に流出する流出口とを具備するケース本体とを有している濾過装置において、
前記袋状フィルタが、伸縮性糸を編むことにより伸縮自在に形成されており、
前記ケース本体が、透明樹脂により前記フィルタ収容体より大径に形成された筒状の内ケースと、前記内ケースを収納するための全体として有底筒状に形成された外ケースと、前記外ケースの開口を覆うための前記外ケースの上端に着脱自在に取り付けられる上蓋とを有しており、
前記流出口が、前記外ケースの底部に形成されており、
前記流入口が、前記上蓋に形成されており、
前記フィルタ収容体と前記上蓋との間には、前記袋状フィルタを挟持するフィルタ挟持手段が設けられていることを特徴とする濾過装置。
【請求項２】
前記フィルタ挟持手段が、前記袋状フィルタが着脱自在に取り付けられるとともに、前記袋状フィルタを取り付けた状態で前記フィルタ収容体の前記上蓋と対向する開口端に着脱自在にセットされる取付リングと、前記上蓋の内部に前記取付リングと対向するように設けられた押圧リングとを有しており、前記上蓋を前記外ケースに取り付けたときに、前記取付リングと前記押圧リングとの間で前記袋状フィルタを挟持するように形成されていることを特徴とする請求項１に記載の濾過装置。
【請求項３】
前記外ケースの胴部には、前記内ケースを通して前記袋状フィルタを外部から視認できる内外を連通するのぞき窓が形成されていることを特徴とする請求項１または請求項２に記載の濾過装置。
【請求項４】
前記上蓋と前記外ケースとが、スナップキャッチによりワンタッチで着脱自在に形成されていることを特徴とする請求項１ないし請求項３のいずれか１項に記載の濾過装置。
【請求項５】
前記伸縮性糸が、ソックスに使用されるものであることを特徴とする請求項１ないし請求項４のいずれか１項に記載の濾過装置。
【発明の詳細な説明】
【技術分野】
【０００１】
本発明は、濾過対象液に含まれる固体を袋状フィルタにより分離するのに好適な濾過装置に関する。
【背景技術】
【０００２】
従来から、濾過対象液に含まれる固体を袋状フィルタを用いて分離する工業用の濾過装置が知られている。この濾過装置は、例えば、工作機械における加工部分の冷却、潤滑、洗浄などに循環使用されるクーラント、切削油、研削液、洗浄液などの液体である濾過対象液に含まれる切り粉、研磨粉などの加工粉からなる所定の大きさ以上の固体を分離するのに用いられている（例えば、特許文献１参照。）。
【０００３】
図９は、従来の濾過装置を示すものであり、従来の濾過装置１０１は、ステンレスなどの金属により上部が開口の有底筒状に形成されたケース本体１０２を備えている。このケース本体１０２の内部には、金網により形成されたバスケット１０３が配置されており、このバスケット１０３の内側には、濾材としてのポリエステルやポリプロピレンなどにより形成された袋状フィルタ１０４（バッグフィルタ）が収容されている。また、ケース本体１０２の開口端には、ケース本体１０２の開口を塞ぐ上蓋１０５が図示しない取付ボルトによって着脱自在に取り付けられている。そして、ケース本体１０２の上蓋１０５の中央部には、上蓋１０５の内外を連通する流入口１０６が設けられており、ケース本体１０２の底部の中央部には、ケース本体１０２の内外を連通する流出口１０７が設けられている。また、ケース本体１０２の外部には、図示しない２つの圧力計が設けられており、袋状フィルタ１０４を通過する前後の液圧、すなわち、袋状フィルタ１０４によって濾過される前の濾過対象液の圧力と、袋状フィルタ１０４を通過した後の濾過された液体である濾液の圧力を検出することができるようになっている。
【０００４】
このような構成からなる濾過装置１０１によれば、濾過対象液は、所定箇所からポンプによる圧送によって、流入口１０６を介してケース本体１０２の内部に供給される。そして、ケース本体１０２の内部に供給された濾過対象液が袋状フィルタ１０４を内側から外側に通過する際には、濾過対象液に含まれる所定の大きさ以上の固体が分離される。そして、濾過された後の濾液は、流出口１０７から排出されて所定箇所に送出されるようになっている。
【０００５】
なお、従来の濾過装置１０１は、濾過対象液の濾過を行うと、袋状フィルタ１０４の内側に分離された固体である濾塊が堆積して目詰まりする。そこで、袋状フィルタ１０４が目詰まりして濾過機能を発揮できなくなったときには、袋状フィルタ１０４の交換が行われるようになっている。なお、この袋状フィルタ１０４の交換時期は、袋状フィルタ１０４の前後の液圧を検出する２つの圧力計の圧力差を作業者が認識することにより行われている。
【先行技術文献】
【特許文献】
【０００６】
【特許文献１】特開２００３−１５４２１３号公報
【発明の概要】
【発明が解決しようとする課題】
【０００７】
ところで、近年においては、濾過装置１０１として、袋状フィルタ１０４の交換時期を作業者が確実かつ容易に認識することができるとともに、袋状フィルタ１０４の着脱を作業者が容易に行うことのできる作業者による使い勝手の向上が求められている。
【０００８】
また、濾過装置１０１に用いる袋状フィルタ１０４としては、目詰まりするまでの期間である寿命（使用可能時間）が従来より長いもの、すなわち、目詰まりを軽減し、交換頻度が低いもので、かつ、低コストのものが求められている。
【０００９】
本発明はこのような点に鑑みてなされたものであり、作業者による使い勝手の向上を容易に図ることのできる濾過装置を提供することを目的とする。
【課題を解決するための手段】
【００１０】
前述した目的を達成するため特許請求の範囲の請求項１に記載の本発明の濾過装置の特徴は、濾過対象液に含まれる固体を分離するための袋状フィルタと、前記袋状フィルタを収容するための金網により筒状に形成されたフィルタ収容体と、前記フィルタ収容体を収容するとともに、濾過対象液を前記袋状フィルタの内部に導く流入口と、前記袋状フィルタで濾過した後の濾液を外部に流出する流出口とを具備するケース本体とを有している濾過装置において、前記袋状フィルタが、伸縮性糸を編むことにより伸縮自在に形成されており、前記ケース本体が、透明樹脂により前記フィルタ収容体より大径に形成された筒状の内ケースと、前記内ケースを収納するための全体として有底筒状に形成された外ケースと、前記外ケースの開口を覆うための前記外ケースの上端に着脱自在に取り付けられる上蓋とを有しており、前記流出口が、前記外ケースの底部に形成されており、前記流入口が、前記上蓋に形成されており、前記フィルタ収容体と前記上蓋との間には、前記袋状フィルタを挟持するフィルタ挟持手段が設けられている点にある。
【００１１】
そして、このような構成を採用したことにより、袋状フィルタは、その編み目によって濾過対象液に含まれる所定の大きさ以上の固体を分離することができる。また、袋状フィルタを弾性繊維によって伸縮自在に形成することにより、分離した固体である濾塊により袋状フィルタが目詰まりしてきた場合にも、安定した濾過機能を長期間に亘って発揮することができる。すなわち、袋状フィルタの目詰まりの進行にともなって袋状フィルタが膨張するので、袋状フィルタの編み目が拡大して、濾過機能の低下や流量の低下を軽減することができる。さらに、袋状フィルタの編み目が拡大した場合であっても、袋状フィルタの内部に堆積した濾塊がフィルタとして機能するので、全体として初期の濾過機能を長期間に亘って保持することができる。また、濾過対象液に含まれる固体は、袋状フィルタの内部において先端側から順に目詰まりして堆積するので、袋状フィルタが目詰まりするにしたがって袋状フィルタが伸長するとともに径方向に広がって編み目が拡大し、濾過機能の低下や流量の低下を軽減することができるし、袋状フィルタの先端側に目詰まりが生じても、袋状フィルタの目詰まりしていない開口部側により濾過機能が保持されるので、全体として初期の濾過機能を長期間に亘って保持することができる。よって、袋状フィルタの寿命を従来に比べて長くすることができる。また、上蓋に形成された流入口は、袋状フィルタの内部に濾過対象液を円滑かつ確実に流入させることができる。さらに、外ケースの底部に形成された流出口は、袋状フィルタを通過した濾液を円滑かつ確実に流出することができる。さらにまた、フィルタ挟持手段により、袋状フィルタを確実に固定することができる。したがって、作業者による使い勝手の向上を容易に図ることができる。
【００１２】
請求項２に記載の本発明の濾過装置の特徴は、請求項１において、前記フィルタ挟持手段が、前記袋状フィルタが着脱自在に取り付けられるとともに、前記袋状フィルタを取り付けた状態で前記フィルタ収容体の前記上蓋と対向する開口端に着脱自在にセットされる取付リングと、前記上蓋の内部に前記取付リングと対向するように設けられた押圧リングとを有しており、前記上蓋を前記外ケースに取り付けたときに、前記取付リングと前記押圧リングとの間で前記袋状フィルタを挟持するように形成されている点にある。そして、このような構成を採用したことにより、袋状フィルタを取付リングに容易に着脱することができる。また、上蓋を外ケースから外すという簡単な操作により、押圧リングが取付リングから容易に離れるので、フィルタ収容体に対する袋状フィルタを取り付けた取付リングの着脱を容易に行うことができる。また、袋状フィルタを取り付けた取付リングをフィルタ収容体の開口端にセットした状態で、上蓋を外ケースに取り付けるという簡単な操作により、袋状フィルタを取付リングと押圧リングとの間で容易かつ確実に挟持することができる。その結果、袋状フィルタの交換を容易に行うことができる。したがって、作業者による使い勝手の向上をより容易に図ることができる。
【００１３】
請求項３に記載の本発明の濾過装置の特徴は、請求項１または請求項２において、前記外ケースの胴部には、前記内ケースを通して前記袋状フィルタを外部から視認できる内外を連通するのぞき窓が形成されている点にある。そして、このような構成を採用したことにより、のぞき窓により、袋状フィルタを外部から視認することができるので、袋状フィルタの目詰まりの具合が容易に分かる。その結果、作業者が袋状フィルタの目詰まりの具合を視認するという簡単な作業により、袋状フィルタの交換時期を容易に認識することができる。
【００１４】
請求項４に記載の本発明の濾過装置の特徴は、請求項１ないし請求項３のいずれか１項において、前記上蓋と前記外ケースとが、スナップキャッチによりワンタッチで着脱自在に形成されている点にある。そして、このような構成を採用したことにより、上蓋と外ケースとの着脱をより容易かつ確実に行うことができる。
【００１５】
請求項５に記載の本発明の濾過装置の特徴は、請求項１ないし請求項４のいずれか１項において、前記伸縮性糸が、ソックスに使用されるものである点にある。そして、このような構成を採用したことにより、既存の糸を使用することができるので、袋状フィルタの低コスト化を容易に図ることができる。
【発明の効果】
【００１６】
本発明に係る濾過装置によれば、袋状フィルタにより濾過対象液に含まれる固体を容易に分離することができる。また、伸縮自在な編み目を具備する弾性繊維により形成された袋状フィルタは、目詰まりの進行にともなって膨張するので、袋状フィルタの編み目が拡大して、濾過機能の低下や流量の低下を軽減することができる。その結果、袋状フィルタの寿命を従来に比べて長くすることができる。したがって、作業者による使い勝手の向上を容易に図ることができるなどの優れた効果を奏する。
【図面の簡単な説明】
【００１７】
【図１】本発明に係る濾過装置の実施形態の要部を示す分解斜視図
【図２】本発明に係る濾過装置の実施形態の要部を示す正面図
【図３】図２の断面図
【図４】図２の平面図
【図５】図２の下面図
【図６】図２の要部を示す拡大断面図
【図７】図１の取付リングに袋状フィルタを取り付けたフィルタ取付状態を示す拡大断面図
【図８】図７のフィルタ取付状態の取付リングをフィルタ収容体の開口端にセットしたフィルタセット状態を示す拡大断面図
【図９】従来の袋状フィルタを備えた濾過装置の一例を示す構造図
【発明を実施するための形態】
【００１８】
以下、本発明を図面に示す実施形態により説明する。
【００１９】
図１から図８は本発明に係る濾過装置の実施形態を示すものであり、図１は要部の分解斜視図、図２は正面図、図３は図２の断面図、図４は図２の平面図、図５は図２の下面図、図６の要部の拡大図、図７は取付リングに袋状フィルタを取り付けたフィルタ取付状態を示す拡大断面図、図８は袋状フィルタを取り付けた取付リングをフィルタ収容体の開口端にセットしたフィルタセット状態を示す拡大断面図である。
【００２０】
本実施形態の濾過装置は、工作機械のクーラント供給装置において循環使用されるクーラントの濾過に用いられるものを例示している。この濾過装置では、クーラントタンクに貯留されたクーラントがポンプにより圧送されて供給される。そして、濾過装置で濾過された濾液であるクーラントがクーラントタンクに戻るようになっている。
【００２１】
図１から図６に示すように、本実施形態の濾過装置１は、濾材としての袋状フィルタ２と、この袋状フィルタ２を収容するフィルタ収容体３と、このフィルタ収容体３を収容するケース本体４とを有している。
【００２２】
前記袋状フィルタ２は、濾過対象液としてのクーラントに含まれる固体としての加工粉を分離するためのものである。この袋状フィルタ２は、伸縮性糸により伸縮自在に形成されている。この伸縮性糸は、ソックスに用いられるものであり、弾性繊維（エラストマー繊維）に合成繊維を組み合わせて形成されたものである。
【００２３】
例えば、弾性繊維としてのポリウレタン弾性繊維（スパンテックス）に、ポリアミド（ナイロン）、ポリエステルなどの合成繊維のフィラメント数の多いハイマルチタイプ（１フィラメントが１．４５デニールより細い糸）をカバーリングしたシングルカバーリングヤーン（ＳＣＹ２０  ＷＮ  ７０／４８）を挙げることができる。また、ポリウレタン弾性繊維に、２本の合成繊維の糸をカバーリングしたダブルカバーリングヤーン（ＤＣＹ）であってもよい。なお、ポリウレタン弾性繊維のかわりにポリエーテルエステル弾性繊維を用いてもよい。また、ポリウレタン弾性繊維の糸を合成繊維の糸でカバーリングすることにより、加工粉によって編み目の破損や損傷が短時間で発生するのを防止することができるようになっている。
【００２４】
前記伸縮性糸は、靴下編み機であるハイゲージ丸編み機（４インチ：４００針）により袋状の編地とされ、この編地により袋状フィルタ２が形成されている。なお、編地は、天笠（無地）編み、針抜き編みなどを単独もしくは組み合わせて編まれている。
【００２５】
前記袋状フィルタ２の自由状態における長さは、フィルタ収容体３の長さの２／３程度に形成されている。この袋状フィルタ２は、後に詳しく述べる取付リング６に取り付けた状態で用いられるようになっている（図６参照。）。
【００２６】
前記フィルタ収容体３は、袋状フィルタ２を収納するためのものである。このフィルタ収容体３は、金網により円筒状に形成されている。このフィルタ収容体３としては、例えば、線径が１ｍｍ程度で、ピッチが１０−２０ｍｍのステンレス平織金網が用いられている。なお、フィルタ収容体３の形状としては、筒状であればよい。例えば、断面が四角形や多角形の角筒状とすることができる。また、フィルタ収容体３としては、金網により上部が開口の有底筒状に形成されたものであってもよい。さらに、金網としては、フィルタ収容体３の内部に収納される袋状フィルタ２を外部から覗くことができるメッシュを用いることが肝要である。
【００２７】
前記ケース本体４は、フィルタ収容体３を収納するためのものである。このケース本体４には、袋状フィルタ２の内部にクーラントを導く流入口１１と、袋状フィルタ２で濾過した後の濾液であるクーラントを外部に流出する流出口１２とが設けられている。
【００２８】
本実施形態のケース本体４は、内ケース１３と、外ケース１４と、上蓋１５とを有している。
【００２９】
前記内ケース１３は、濾液の流路を形成するためのものである。この内ケース１３は、アクリル樹脂（アクリル酸エステル樹脂、メタクリル酸エステル樹脂）、ポリカーボネート樹脂などの透明樹脂によりフィルタ収容体３の外径より大径の円筒状に形成されている。そして、内ケース１３の内周面と、フィルタ収容体３の外周面との間には、濾液を容易に流動させるための隙間が形成されている。なお、内ケース１３の長さは、フィルタ収容体３の長さより長く形成されている。また、内ケース１３の外周面には、袋状フィルタ２の交換時期を認識させるための目印となるマーク１６が設けられている。このマーク１６は、例えば、内ケース１３の長さ方向の中央部より上方、具体的には、内ケース１３の外周面における下端から全長の２／３程度の高さ位置に、周方向に沿って赤色テープを環状に貼着することにより設けられている。なお、内ケース１３の形状としては、筒状であればよい。例えば、断面が四角形や多角形の角筒状とすることができる。
【００３０】
前記外ケース１４は、内ケース１３を収納するためのものである。この外ケース１４は、底部材１７と、上部材１８と、接続部材１９とを有している。
【００３１】
前記底部材１７は、内ケース１３の下端部を支持するためのものである。この底部材１７は、金属により内ケース１３の外径より大径の円筒状に形成された外底胴部２０と、この外底胴部２０の下端の開口を閉塞するように金属により円盤状に形成された外底板２１とにより、全体として上部が開口の有底筒状に形成されている。また、外底板２１には、袋状フィルタ２を内側から外側に通過した濾過後の濾液を外部に流出させるための流出口１２としての複数の流出用貫通孔１２ａが形成されている。すなわち、袋状フィルタ２を内側から外側に通過した濾液を外部に流出させるための流出口１２が、外ケース１４の底部に形成されている。
【００３２】
前記外底板２１の底面には、フィルタ収容体３の下端部の装着と、その位置決めを行うための装着壁２２が設けられている。本実施形態における装着壁２２は、フィルタ収容体３の下端部の外周面を取り囲むように円筒状に形成されており、その上端面は、外底胴部２０の開口端より下方に配置されている。また、装着壁２２の内孔は、フィルタ収容体３の下端部を着脱自在に装着することができるように、フィルタ収容体３の外径より大径に形成されている。
【００３３】
なお、装着壁２２の形状は、フィルタ収容体３の形状に応じて設定すればよく、円筒状に限定されるものではない。例えば、フィルタ収容体３の下端部の外周面を取り囲むことができるように、全体として環状をなすように部分的に設けられたものであってもよいし、３つ以上の柱状の突起を外底板２１の中心から等距離位置において隣位する２つの突起壁の距離が等しくなるように等角度配置する構成としてもよい。
【００３４】
前記外底胴部２０の外周面の長さ方向である上下方向のほぼ中央部には、環状に形成された取付フランジ２３が設けられている。この取付フランジ２３は、溶接によって外底胴部２０の外周面の所定の位置に固着されている。そして、取付フランジ２３の所定位置には、濾過装置１を図示しない取付板や取付架台などの取付対象物に取り付けるための複数の取付孔２４が形成されている。これらの取付孔２４は、外底胴部２０、ひいては外ケース１４の中心から等距離位置において隣位する２つの取付孔２４の中心間距離が等しくなるように等角度配置されている。
【００３５】
前記上部材１８は、内ケース１３の上端部の外周を径方向外側から支持するためのものである。この上部材１８は、金属により円筒状に形成されている。また、上部材１８の外径および内径のそれぞれのサイズは、外底胴部２０の外径および内径と同一に形成されている。
【００３６】
すなわち、上部材１８の内孔は、内ケース１３の外径より大径に形成されている。また、上部材１８の上端面は、外ケース１４に装着された状態における内ケース１３の上端面とほぼ面一となるように配置されている。
【００３７】
前記上部材１８の外周面には、金属により形成された位置決めパイプ２５が設けられている。この位置決めパイプ２５は、その長手方向を上部材１８の長手方向と平行に延在するようにして配置されている。本実施形態の位置決めパイプ２５は、その上部が溶接によって上部材１８の外周面に固着されている。なお、位置決めパイプ２５の上端は、上部材１８の上端より下方に配置されている。
【００３８】
前記接続部材１９は、底部材１７と上部材１８とを接続するためのものである。この接続部材１９は、金属により角棒状に形成されており、下端部が外底胴部２０の外周面の上端部側に溶接などによって固着されており、上端部が上部材１８の外周面の下端部側に溶接などによって固着されている。すなわち、接続部材１９は、その長手方向が外ケース１４の中心に沿って平行に配置されている。また、本実施形態における接続部材１９は、６本の接続部材１９が相互に平行に延在するように用いられている。これら６本の接続部材１９は、外ケース１４の中心から等距離位置において隣位する２本の接続部材１９の距離が等しくなるように間隔をおいて等角度配置されている。なお、接続部材１９としては、丸棒状のものであってもよい。また、接続部材１９としては、複数の孔を備えた筒であってもよい。この場合、孔のサイズを、内部を容易に視認することのできるサイズとすることが肝要である。
【００３９】
前記外ケース１４の底部材１７と上部材１８との相互間で、接続部材１９が配置されていない箇所は、内外を連通する連通空間とされており、この連通空間により、本実施形態における内ケース１３を通して袋状フィルタ２を外部から視認できるのぞき窓２６が構成されている。すなわち、透明な内ケース１３を通して袋状フィルタ２を外部から視認できる内外を連通するのぞき窓２６が外ケース１４の胴部に設けられている。勿論、外部とは濾過装置１の外側である。
【００４０】
前記上蓋１５は、外ケース１４の開口を覆うためのものである。この上蓋１５は、金属により円筒状に形成された蓋胴部２７と、この蓋胴部２７の上端の開口を閉塞するように金属によりほぼ円盤状に形成された蓋天板２８とにより、全体として下部が開口の有底筒状に形成されている。そして、蓋胴部２７の内孔は、上部材１８の上端部、ひいては外ケース１４の上端部の外周面を取り囲むことができるように、上部材１８の外径より大径に形成されている。
【００４１】
前記蓋天板２８の中心には、蓋天板２８の厚さ方向である上下方向に沿って流入管２９が配設されている。この流入管２９は、上蓋１５の長さより長く形成されており、上端が蓋天板２８の上面より上方に突出し、下端が蓋胴部２７の開口端より下方に突出するように配置されている。また、流入管２９は、その外周面における長手方向の中央部より上方部分が蓋天板２８の中心に設けられたパイプ用貫通孔３０に挿通された状態で溶接などにより、隙間なく固着されており、流入管２９の上端の開口は、袋状フィルタ２の内部にクーラントを導く流入口１１とされている。すなわち、袋状フィルタ２の内部にクーラントを導く流入口１１が、上蓋１５の中央部に形成されている。また、流入管２９の内孔の上端部には、圧送されるクーラントの供給配管との接続に用いるための雌ねじ３１が形成されている。
【００４２】
前記蓋天板２８の下面の外周部分は、外ケース１４の開口端とわずかな隙間をもって対向するように配置されている。なお、上蓋１５の形状としては、筒状であればよい。例えば、断面が四角形や多角形の角筒状とすることができる。
【００４３】
前記蓋胴部２７の外周面には、上部材１８の外周面に設けられた位置決めパイプ２５に着脱自在に挿入される位置決め棒３２の上部が溶接によって固着されている。そして、位置決めパイプ２５に位置決め棒３２を挿入することにより、外ケース１４に対する上蓋１５の周方向に沿った回転止めと、外ケース１４に対する上蓋１５の周方向に沿った回転方向の位置決めとがなされている。
【００４４】
前記上蓋１５と外ケース１４とは、周知のスナップキャッチ３３（スナップ錠）によりワンタッチで着脱自在に取り付けられている。
【００４５】
すなわち、前記上部材１８の外周面には、周知の如く、２つで１組とされたスナップキャッチ３３の一方、例えば係止側リング、ばねおよび操作レバーを備えた操作側部材３３ａが取り付けられており、蓋胴部２７の外周面には、スナップキャッチ３３の他方、例えば、係止ピンを備えた受け側部材３３ｂが取り付けられている。このスナップキャッチ３３の組数としては、２組以上の複数であればよい。本実施形態においては２組のスナップキャッチ３３が取り付けられている。これら複数組のスナップキャッチ３３の配置としては、ケース本体４の中心から等距離位置において隣位する２つのスナップキャッチ３３の中心間距離が等しくなるように等角度配置されていればよい。
【００４６】
前記上蓋１５の蓋天板２８の下面には、ポリアセタール樹脂により全体として環状に形成された押圧リング３４が配設されている。この押圧リング３４は、円筒状に形成された内側円筒部３５を備えている。この内側円筒部３５は、その内孔が流入管２９の外径より若干大きく形成されるとともに、その長さが蓋胴部２７の長さより長く形成されている。この内側円筒部３５の外周面は、内側円筒部３５の下端から上方に向かって徐々に拡径する下方に凸の凸テーパ面３６とされており、この凸テーパ面３６は、テーパピンとして機能する。また、内側円筒部３５の最大径は、フィルタ収容体３の内径より小さく形成されている。そして、内側円筒部３５の上端部には、径方向外側に向かってほぼ直角に延出された環状の水平壁部３７が延出形成されている。この水平壁部３７の外周縁は、フィルタ収容体３の外周面と内ケース１３の内周面とのほぼ中間に位置するように形成されている。そして、水平壁部３７の外周縁には、円筒状に形成された外側円筒部３８が下方に向かって延出形成されている。この外側円筒部３８の長さは、内側円筒部３５の長さより長く形成されている。すなわち、内側円筒部３５を中心としてその外側に外側円筒部３８が配置された状態で、内側円筒部３５の上端と外側円筒部３８の上端とが環状の水平壁部３７によって接続されている。また、押圧リング３４は、内側円筒部３５が流入管２９の蓋天板２８の下方に突出された部分に挿入された状態で、押圧リング３４の上面が蓋天板２８の下面に接着剤などの接合剤による接合によって固着されている。なお、押圧リング３４と流入管２９との間からクーラントが外部に漏洩しない構成、例えば、押圧リング３４の上面と蓋天板２８の下面との間にガスケットを配置する構成の場合には、押圧リング３４を蓋天板２８の下面、ひいては上蓋１５に固着させずに、着脱自在としてもよい。
【００４７】
前記押圧リング３４は、取付リング６と対向配置されている。この取付リング６は、フィルタ収容体３の上部の開口端に着脱自在にセットされるものであり、ポリアセタール樹脂により全体として環状に形成されている。すなわち、取付リング６は、円筒状に形成された筒状部３９を備えている。この筒状部３９の内周面は、筒状部３９の下端から上方に向かって徐々に拡径する上方から見て凹状の凹テーパ面４０とされており、この凹テーパ面４０は、テーパピンが上方から嵌合するテーパ孔として機能する。また、筒状部３９の外径は、フィルタ収容体３の内孔より若干小さく形成されている。さらに、筒状部３９の上端部には、環状鍔部４１が径方向外側に向かって延出形成されている。この環状鍔部４１の外周縁は、フィルタ収容体３の外周面より外側で、かつ、押圧リング３４の外側円筒部３８の内孔より内側に位置するように形成されている。この取付リング６には、図７に示すように、袋状フィルタ２がその開口端を外側に折り返すようにして着脱自在に取り付けられている。この袋状フィルタ２が取り付けられた取付リング６は、図８に示すように、取付リング６の環状鍔部４１の下面がフィルタ収容体３の開口端により下方から支持されるようになっている。
【００４８】
図６に拡大して示すように、押圧リング３４の凸テーパ面３６は、取付リング６の凹テーパ面４０に嵌合するようになっている。また、袋状フィルタ２は、上蓋１５を外ケース１４に取り付けたときに、取付リング６の凹テーパ面４０および押圧リング３４の凸テーパ面３６によって挟持できるようになっている。
【００４９】
すなわち、取付リング６および押圧リング３４により、本実施形態のフィルタ収容体３と上蓋１５との間に袋状フィルタ２を挟持するフィルタ挟持手段４２が構成されている。
【００５０】
また、フィルタ挟持手段４２は、袋状フィルタ２が着脱自在に取り付けられるとともに、袋状フィルタ２を取り付けた状態でフィルタ収容体３の上蓋１５と対向する開口端に着脱自在にセットされる取付リング６と、上蓋１５の内部に取付リング６と対向するように設けられた押圧リング３４とを有しており、上蓋１５を外ケース１４に取り付けたときに、取付リング６と押圧リング３４との間で袋状フィルタ２を挟持するように形成されている。
【００５１】
なお、内ケース１３の下端と、この内ケース１３の下端が対向する外ケース１４の底部材１７の底面との間に、クーラントが外部に流出するのをより確実に防止するためのゴムなどにより形成されたガスケットを配置する構成としてもよい。また、内ケース１３の上端と、この内ケース１３の上端が対向する上蓋１５の蓋天板２８の下面との間にも、クーラントが外部に流出するのをより確実に防止するためのゴムなどにより形成されたガスケットを配置する構成としてもよい。さらに、取付リング６の上端面と、この上端面が対向する押圧リング３４の水平壁部３７の下面との間にも、ゴムなどにより形成されたガスケットを配置する構成としてもよい。この場合、取付リング６側から押圧リング３４に向かって、袋状フィルタ２と、ガスケットとがこの順に配置されることになる。
【００５２】
つぎに、前述した構成からなる本実施形態の作用について説明する。
【００５３】
本実施形態における濾過装置１により、濾過対象液の一例としてのクーラント装置において循環使用されるクーラントを濾過する場合について説明する。なお、濾過対象液としてのクーラントには、濾過すべき固体として、ワークを加工したときに発生する切り粉、研磨粉などの加工粉が含まれているものとする。
【００５４】
前記クーラントタンクに貯留されたクーラントは、ポンプなどにより圧送されて流入口１１から袋状フィルタ２の内部に流入する。そして、袋状フィルタ２の内部に流入したクーラントは、袋状フィルタ２を内側から外側に向かって通過する。このクーラントが袋状フィルタ２を通過する際に、クーラントに含まれる所定の大きさ以上の固体としての加工粉が濾過作用によって分離される。すなわち、クーラントが袋状フィルタ２を通過する際に、クーラントに含まれる所定の大きさ以上の加工粉が袋状フィルタ２の編み目によって捕捉される。そして、袋状フィルタ２を通過した濾液は、内ケース１３の内部を流下して流出口１２から外部に流出し、その後クーラントタンクに戻される。
【００５５】
前記袋状フィルタ２の内部に捕捉された所定の大きさ以上の加工粉である濾塊は、袋状フィルタ２の内部において先端側（下端側）から目詰まりして堆積する。この時、袋状フィルタ２が弾性繊維によって伸縮自在に形成されているので、濾塊の堆積の進行にともなって、袋状フィルタ２は、その長さ方向に順次伸長するとともに、濾塊の堆積部分が拡径するので、クーラントから分離した加工粉である濾塊により袋状フィルタ２が目詰まりしてきた場合にも、袋状フィルタ２が膨張して袋状フィルタ２の編み目が拡大することにより濾過機能を発揮する。なお、袋状フィルタ２の最大伸長は、その下端が底部材１７の底面により規制され、最大拡径は、フィルタ収容体３により規制される。
【００５６】
このように、本実施形態の濾過装置１によれば、袋状フィルタ２は、その編み目によって濾過対象液としてのクーラントに含まれる所定の大きさ以上の固体である加工粉を分離することができる。
【００５７】
また、本実施形態の濾過装置１によれば、袋状フィルタ２が弾性繊維によって伸縮自在に形成されているので、クーラントが袋状フィルタ２を通過する際に、クーラントから分離した加工粉である濾塊により袋状フィルタ２が目詰まりしてきた場合にも、安定した濾過機能を長期間に亘って発揮することができる。
【００５８】
すなわち、本実施形態における濾過装置１によれば、袋状フィルタ２の目詰まりの進行にともなって袋状フィルタ２が膨張するので、袋状フィルタ２の編み目が拡大して、濾過機能の低下や流量の低下を軽減することができる。
【００５９】
さらに、本実施形態における濾過装置１によれば、袋状フィルタ２の編み目が拡大した場合であっても、袋状フィルタ２の内部に堆積した濾塊がフィルタとして機能するので、全体として初期の濾過機能を長期間に亘って保持することができる。
【００６０】
また、本実施形態における濾過装置１によれば、クーラントに含まれる加工粉は、袋状フィルタ２内部において先端側（下端側）から順に目詰まりして堆積するので、袋状フィルタ２が目詰まりするにしたがって袋状フィルタ２が伸長するとともに径方向に広がって編み目が拡大し、濾過機能の低下や流量の低下を軽減することができるし、袋状フィルタ２の先端側に目詰まりが生じても、袋状フィルタ２の目詰まりしていない開口部側により濾過機能が保持されるので、全体として初期の濾過機能を長期間に亘って保持することができる。
【００６１】
よって、本実施形態における濾過装置１によれば、袋状フィルタ２の寿命を従来に比べて長くすることができる。
【００６２】
また、本実施形態における濾過装置１によれば、流入口１１が上蓋１５に形成されているので、袋状フィルタ２の内部にクーラントを円滑かつ確実に流入させることができる。
【００６３】
またさらに、本実施形態における濾過装置１によれば、流出口１２が外ケース１４の底部に形成されているので、袋状フィルタ２を通過した濾液を外部に円滑かつ確実に流出させることができる。
【００６４】
さらに、本実施形態における濾過装置１によれば、フィルタ収容体３と上蓋１５との間に、袋状フィルタ２を挟持するフィルタ挟持手段４２が設けられているから、袋状フィルタ２を確実に固定することができる。  
【００６５】
したがって、本実施形態の濾過装置１によれば、作業者による使い勝手の向上を容易に図ることができる。
【００６６】
また、本実施形態における濾過装置１によれば、透明樹脂により形成された内ケース１３を通して袋状フィルタ２を外部から視認できるのぞき窓２６が形成されているので、袋状フィルタ２を外部から視認することができる。これにより、袋状フィルタ２の目詰まりの具合が容易に分かる。その結果、作業者が袋状フィルタ２の目詰まりの具合を視認するという簡単な作業により、袋状フィルタ２の交換時期を容易に認識することができる。
【００６７】
さらに、本実施形態の濾過装置１によれば、内ケース１３の外周面に、袋状フィルタ２の交換時期を認識させるための目印となるマーク１６が設けられているから、袋状フィルタ２の拡径部分が袋状フィルタ２の先端側である下方から上方に広がってマーク１６に到達したことを作業者が視認するという簡単な作業により、袋状フィルタ２の交換時期を容易かつ確実に認識することができる。
【００６８】
また、本実施形態における濾過装置１によれば、袋状フィルタ２の交換時期を外部から視認するという簡単な作業により判別することができるので、従来の濾過装置１における袋状フィルタ２の交換時期を判別するための２つの圧力計を設ける必要がないので、低コスト化を図ることができるし、袋状フィルタ２の交換時期を判別するのに必要な作業者による労力および時間を低減することができる。
【００６９】
したがって、本実施形態の濾過装置１によれば、作業者による使い勝手のさらなる向上を容易に図ることができる。
【００７０】
さらに、本実施形態における濾過装置１によれば、ケース本体４が、透明樹脂により形成された内ケース１３と、のぞき窓２６の形成された外ケース１４と、上蓋１５とを有しているので、従来の金属により有底筒状に形成されたケース本体４に比較して、軽量化を図ることができる。この軽量化によって、作業者による設置作業およびフィルタ交換作業などの作業性を向上することができる。
【００７１】
またさらに、本実施形態における濾過装置１によれば、フィルタ挟持手段４２が、袋状フィルタ２が着脱在に取り付けられるとともに、袋状フィルタ２を取り付けた状態でフィルタ収容体３の上蓋１５と対向する開口端に着脱自在にセットされる取付リング６と、上蓋１５の内部に取付リング６と対向するように設けられた押圧リング３４とを有しており、上蓋１５を外ケース１４に取り付けたときに、取付リング６と押圧リング３４との間、詳しくは凹テーパ面４０と凸テーパ面３６との間で袋状フィルタ２を挟持するように形成されているから、袋状フィルタ２を取付リング６に容易に着脱することができる。また、上蓋１５を外ケース１４から外すという簡単な操作により、押圧リング３４が取付リング６から容易に離れるので、フィルタ収容体３に対する袋状フィルタ２を取り付けた状態の取付リング６の着脱を容易に行うことができる。また、袋状フィルタ２を取り付けた状態の取付リングをフィルタ収容体３の開口端にセットした状態で、上蓋１５を外ケース１４に取り付けるという簡単な操作により、袋状フィルタ２を取付リング６と押圧リング３４との間で容易かつ確実に挟持することができる。その結果、袋状フィルタ２の交換を容易に行うことができる。したがって、作業者による使い勝手の向上をより容易に図ることができる。
【００７２】
さらにまた、本実施形態における濾過装置１によれば、押圧リング３４の外側円筒部３８の先端である下端が内側円筒部３５の下面より下方に位置しているので、袋状フィルタ２が目詰まりして袋状フィルタ２を挟持する凹テーパ面４０と凸テーパ面３６との間から内ケース１３の内部に濾液が流動した場合であっても、この濾液を内ケース１３の内部において下方に確実に流下させることができる。その結果、濾液が上蓋１５と外ケース１４と隙間から外部に漏洩するのを防止することができる。
【００７３】
また、本実施形態における濾過装置１によれば、上蓋１５と外ケース１４とが、スナップキャッチ３３によりワンタッチで着脱自在に形成されているから、上蓋１５と外ケース１４との着脱をより容易かつ確実に行うことができる。
【００７４】
さらにまた、本実施形態における濾過装置１によれば、位置決めパイプ２５および位置決め棒３２が設けられているので、上蓋１５をケース本体４に取り付ける際に、位置決めパイプ２５に位置決め棒３２を挿入することにより、外ケース１４に対する上蓋１５の周方向に沿った回転を阻止することができる。その結果、スナップキャッチ３３の操作側部材３３ａと受け側部材３３ｂとの相互間の周方向における位置合わせを容易かつ確実に適正にすることができる。これにより、スナップキャッチ３３の操作性が向上する。
【００７５】
またさらに、本実施形態における濾過装置１によれば、袋状フィルタ２を構成する伸縮性糸がソックスに使用されるものであるから、既存の糸を使用することができるので、袋状フィルタ２の低コスト化を容易に図ることができる。
【００７６】
なお、本発明は、前述した各実施形態に限定されるものではなく、必要に応じて種々の変更が可能である。例えば、濾過対象液の流量が多い場合には、複数の濾過装置を並列配置して用いることができる。
【符号の説明】
【００７７】
１  濾過装置
２  袋状フィルタ
３  フィルタ収容体
４  ケース本体
６  取付リング
１１  流入口
１２  流出口
１３  内ケース
１４  外ケース
１５  上蓋
２５  位置決めパイプ
２６  のぞき窓
２９  流入管
３２  位置決め棒
３３  スナップキャッチ
３４  押圧リング
３６  凸テーパ面
４０  凹テーパ面
４２  フィルタ挟持手段
【図１】
2010184170.tif 000003
【図２】
2010184170.tif 000004
【図３】
2010184170.tif 000005
【図４】
2010184170.tif 000006
【図５】
2010184170.tif 000007
【図６】
2010184170.tif 000008
【図７】
2010184170.tif 000009
【図８】
2010184170.tif 000010
【図９】
2010184170.tif 000011